(57)【要約】  ＰＯＳレジスタは、ユーザーの支払い内容を含むレシート情報を用紙に印刷するプリンタと、レシート情報の印刷の可否を選択するボタンが表示されるタッチパネルと、レシート情報を、コンピュータネットワークを介して送信する送信先アドレスをユーザーが入力する入力ユニットと、ボタンによりレシート情報の印刷の要否が選択されたときに送信先アドレスが入力されていれば送信先アドレスにレシート情報を送信する出力ユニットとを含む。
2012053217.tif 000002
【特許請求の範囲】
【請求項１】
顧客がサービスおよび商品の少なくともいずれかに対する支払いを行うシステムであって、
顧客の支払い内容を含むレシート情報を用紙に印刷するプリンタと、
前記レシート情報の印刷の要否を選択する第１のアイコンが表示されるタッチパネルと、
前記レシート情報を、コンピュータネットワークを介して送信する送信先アドレスを顧客が入力する入力ユニットと、
前記第１のアイコンにより前記レシート情報の印刷の要否が選択されたときに前記送信先アドレスが入力されていれば前記送信先アドレス宛に前記レシート情報を送信する出力ユニットとを有するシステム。
【請求項２】
請求項１において、前記タッチパネルに前記第１のアイコンとともに前記送信先アドレスの入力を促すメッセージを表示する第１の機能ユニットをさらに有する、システム。
【請求項３】
請求項２において、前記タッチパネルに前記第１のアイコンとともに広告および宣伝の少なくともいずれかを含む情報を表示する第２の機能ユニットをさらに有する、システム。
【請求項４】
請求項１ないし３のいずれかにおいて、前記入力ユニットは、顧客の携帯端末またはＩＣカードとの非接触通信により顧客の送信先アドレスを取得する通信ユニット、および顧客の携帯端末に表示された顧客の送信先アドレスを含むデータを読み取る光学ユニットの少なくともいずれかを含む、システム。
【請求項５】
請求項１ないし４のいずれかにおいて、前記プリンタが前記出力ユニットを含む、システム。
【請求項６】
顧客がサービスおよび商品の少なくともいずれかに対する支払いを行うシステムの制御方法であって、
前記システムは、顧客の支払い内容を含むレシート情報を用紙に印刷するプリンタと、
タッチパネルと、
前記タッチパネルの入出力を制御する制御ユニットと、
前記レシート情報を、コンピュータネットワークを介して送信する送信先アドレスを顧客が入力する入力ユニットと、
前記送信先アドレス宛に前記レシート情報を送信する出力ユニットとを含み、
当該制御方法は、
前記制御ユニットが、前記タッチパネルに前記レシート情報の印刷の要否を選択する第１のアイコンを表示することと、
前記第１のアイコンにより前記レシート情報の印刷の要否が選択されたときに前記送信先アドレスが入力されていれば前記送信先アドレス宛に前記レシート情報を送信することとを有する、制御方法。
【請求項７】
請求項６において、前記表示することは、前記制御ユニットが前記タッチパネルに前記第１のアイコンとともに前記送信先アドレスの入力を促すメッセージを表示することを含む、制御方法。
【請求項８】
請求項６または７において、前記表示することは、前記制御ユニットが前記タッチパネルに前記第１のアイコンとともに広告および宣伝の少なくともいずれかを含む情報を表示することを含む、制御方法。
【請求項９】
請求項６ないし８のいずれかにおいて、さらに、前記第１のアイコンにより前記レシート情報の印刷要が選択されたときにのみ前記プリンタにより前記レシート情報を印刷することを有する、制御方法。
【請求項１０】
請求項６ないし９のいずれかにおいて、前記入力ユニットは、顧客の携帯端末またはＩＣカードと非接触通信する通信ユニット、およびデータを光学的に読み取る光学ユニットの少なくともいずれかを含み、
顧客の携帯端末またはＩＣカードと前記通信ユニットとの非接触通信、または、顧客の携帯端末に表示されたデータを前記光学ユニットにより読み取ることにより、顧客の送信先アドレスを取得することをさらに有する、制御方法。
【発明の詳細な説明】
【技術分野】
【０００１】
本発明は、ＰＯＳなどの顧客が支払い（決済）を行うシステムに関するものである。
【背景技術】
【０００２】
日本国特開平１０−５５３８４号公報には、レシート紙を不要とし家計簿の作成や商品買い上げの証明を容易にする技術が開示されている。このため、この文献には、入力された商品の買い上げ情報に基づいてレシート情報を生成すると共に当該顧客を識別して該顧客毎に前記レシート情報をアップロードする店側端末と、この店側端末からアップロードされたレシート情報を該顧客別に格納する顧客別レシートファイルと、この顧客別レシートファイルにアクセスして該顧客毎のレシート情報を参照可能な顧客側端末とを備えていることが記載されている。【０００３】
日本国特開２００１−２９１１６７号公報には、売上登録中にオペレータまたは顧客がレシート出力を選択したとき、当該取引のレシートを出力するＰＯＳレジスタが記載されている。このため、この文献においては、ＰＯＳレジスタは、レシート出力ボタンの入力回路のオペレータ側レシート出力ボタン及び顧客側レシート出力ボタンと、取引終了の取引終了ボタンと、オペレータ側レシート出力ボタン及び顧客側レシート出力ボタンを変換するレシート出力処理手段と、レシート出力処理手段の出力を記憶し、オペレータ側レシート出力ボタン及び顧客側レシート出力ボタンを点灯するレシート出力フラグと、取引データ入力手段の終了でレシート出力フラグを参照し、レシート出力フラグがオンで、取引データをレシート形式に編集する売上登録処理手段と、レシートを内蔵プリンタに出力するレシート印字出力手段と、を備えていることが記載されている。
【発明の概要】
【０００４】
プリントアウトされたレシートが必要な顧客と、不要な顧客とが存在し、さらに、レシート情報をアップロードして所望のサーバーあるいはネットワーク上のアドレスで管理したい顧客と、そのような管理は不要な顧客とが存在する。また、サービスおよび／または商品に対する支払いを行うシステムは、コンビニエンスストア、百貨店などに採用されているＰＯＳレジスタ、レストランのキャッシュレジスタ、ガススタンドのガスＰＯＳ、さらには自動販売機における支払いシステムなど様々である。さらに、支払い方法も、現金による支払い、クレジットカードによる支払い、非接触のＩＣカードによる支払い、プリペイドカードによる支払いなど多種多様であり、カード会社も数多い。
【０００５】
このように支払いをする際のシステム（決済システム、店舗端末）における支払い方法、条件、顧客の要望は多種多様である。ネットワーク上の所定のアドレスにレシート情報を集めて管理することは家計簿管理システムなどとして知られている。しかしながら、様々な決済方法（支払い方法）により支払ったレシート情報をユーザーが希望する所定のアドレスにアップロードして管理することは容易ではない。たとえば、クレジット会社の個人情報にアップロード用のアドレスを設定することは可能であるが、クレジット会社の決済が終了してからデータが提供されるのでリアルタイムでの家計の管理は難しい。また、特定のカード会社の加盟店であればデータをアップロードできるかもしれないが、加盟店でなければそのようなサービスが受けられないケースもある。
【０００６】
また、携帯端末にレシート情報をレジから送らせたり、レシートを読み込ませることにより、個人の携帯端末経由で所望のアドレスにデータを集中させることも可能である。しかしながら、レシート情報をマニュアルで転送したり、レシートを読み込んだりする時間を顧客がその都度確保できるとは限らない。また、レシート情報を読み込むためだけにレシートをプリントアウトすることも無駄が多い。
【０００７】
本発明の一態様は、顧客がサービスおよび／または商品に対する支払いを行うシステムである。このシステムは、顧客がサービスおよび商品の少なくともいずれかに対する支払いを行うシステムであって、顧客の支払い内容を含むレシート情報を用紙に印刷するプリンタと、レシート情報の印刷の要否（可否）を選択する第１のアイコンが表示されるタッチパネルと、レシート情報を、コンピュータネットワークを介して送信する送信先アドレスを顧客が入力する入力ユニットと、タッチパネルに表示された第１のアイコンによりレシート情報の印刷の要否が選択されたときに送信先アドレスが入力されていれば送信先アドレス宛にレシート情報を送信する出力ユニットとを有する。第１のアイコンは、ボタンなどの絵、マークあるいはシンボルであってもよく、文字表示であってもよい。
【０００８】
このシステムにおいては、プリンタによりレシート情報を印刷するか否かの決定を顧客に選択させるタイミングを設け、無駄にレシートが出力されないようにする。それとともに、顧客がレシートの要否を選択するタイミングを、顧客がレシート情報の送信先アドレスを入力できるタイミングとして利用する。したがって、支払い方法や支払いシステムのタイプに基本的には依存せず、顧客は所望のアドレスを入力でき、その所望のアドレスにレシート情報をアップロードさせて支払い状況を迅速に集中管理できる。
【０００９】
入力ユニットは、顧客の携帯端末またはＩＣカードとの非接触通信により顧客の送信先アドレスを取得する通信ユニット、または、顧客の携帯端末に表示された顧客の送信先アドレスを含むデータを読み取る光学ユニットを含むことが望ましい。顧客は携帯端末やＩＣカードに所望のアドレス情報を予め設定しておくことができる。そして、顧客は、レシートの要否を選択する前に携帯端末やＩＣカードを通信ユニットに近づけるだけで所望のアドレスをセットできる。また、顧客が、所望のアドレスを２次元コードなどの光学ユニットが読み取り可能なコードに変換して携帯端末に表示して光学ユニットに読み取らせることにより、レシートの要否を選択する前に携帯端末を光学ユニットに近づけるだけで所望のアドレスをセットできる。
【００１０】
一方、レシート情報のアップロードが不要な顧客は、所望のアドレスを入力せずにレシートの要否を選択することによりレシートの有無を選択できる。したがって、このシステムは、レシートもレシート情報も不要な顧客、レシートは不要でレシート情報だけ必要な顧客、レシートだけ必要な顧客、レシートもレシート情報も必要な顧客といった様々な顧客の要望に対し、実質的にはレシートの要否を選択させることにより対応できる。
【００１１】
このシステムにおいて、レシート情報（レシート）を印刷するプリンタが、レシート情報を送信先アドレスに送信する出力ユニットを含むことが望ましい。プリンタはレシートを印刷するためにレシート情報を取得するので、そのレシート情報をインターネットなどのコンピュータネットワークに出力することでシステムを簡易に構成できる。
【００１２】
さらに、このシステムは、タッチパネルにボタンなどの第１のアイコンとともに送信先アドレスの入力を促すメッセージを表示する機能（第１の機能ユニット）をさらに有することが望ましい。レシートの要否を選択するために顧客はタッチパネルを注視する。したがって、送信先アドレスの入力が可能であることを表示することにより、レシート情報のアップロードが必要な顧客が送信先アドレスを入力し忘れることを抑制できる。
【００１３】
また、システムは、タッチパネルにボタンとともに広告および／または宣伝を含む情報を表示する機能（第２の機能ユニット）を含むことも有効である。レシートの要否を選択するために顧客はタッチパネルを注視する。したがって、タッチパネルに表示することにより、いっそう確実に効率よく顧客に対して店舗の情報などを提供できる。
【００１４】
本発明の他の態様の１つは、顧客がサービスおよび／または商品に対する支払いを行うシステムの制御方法である。このシステムは、顧客の支払い内容を含むレシート情報を用紙に印刷するプリンタと、タッチパネルと、タッチパネルの入出力を制御する制御ユニットと、レシート情報を、コンピュータネットワークを介して送信する送信先アドレスを顧客が入力する入力ユニットと、送信先アドレス宛にレシート情報を送信する出力ユニットとを含む。さらに、制御方法は以下のステップを有する。
・制御ユニットがタッチパネルにレシート情報の印刷の要否（可否）を選択する第１のアイコンを表示すること。
・第１のアイコンによりレシート情報の印刷の可否が選択されたときに送信先アドレスが入力されていれば送信先アドレス宛にレシート情報を送信すること。
【００１５】
第１のアイコンを表示することは、制御ユニットがタッチパネルに第１のアイコンとともに送信先アドレスの入力を促すメッセージを表示することを含むことが望ましい。また、第１のアイコンを表示することは、制御ユニットがタッチパネルに第１のアイコンとともに広告および／または宣伝を含む情報を表示することを含むことが望ましい。
【００１６】
また、制御方法は、タッチパネルに表示されたボタンによりレシート情報の印刷可が選択されたときにのみプリンタによりレシート情報を印刷することを含む。レシートが不要な顧客に対してレシートをプリントアウトする無駄を省くことができる。
【図面の簡単な説明】
【００１７】
【図１】ＰＯＳレジスタを含むシステムの概要を示す図。
【図２】レシートプリンタの構成を示すブロック図。
【図３】レシートプリンタのタッチパネルの表示例を示す図。
【図４】ＰＯＳレジスタおよびレシートプリンタの動作を示すフローチャート。
【発明を実施するための形態】
【００１８】
図１に、レシート情報を、インターネットを介してサーバーに蓄積するシステムの一例を示している。このシステム１は、インターネット２に接続されたＰＯＳレジスタ（店舗端末、店舗システム）１０および２０と、ユーザー（顧客）毎にレシート情報を蓄積するサーバー５と、インターネット２を介してサーバー５に蓄積されたレシート情報を利用できるユーザー端末（クライアント端末）、たとえば、パーソナルコンピュータ７および／または携帯端末（携帯電話）８を含む。
【００１９】
ＰＯＳレジスタ１０は、コンビニエンスストアなどの店舗において顧客（ユーザー）９がサービスおよび／または商品に対して支払いを行うシステムの一例である。ＰＯＳレジスタ１０は、ＰＯＳ端末１１と、ＰＯＳ端末１１から得られたレシート情報をプリントアウトするレシートプリンタ３０と、ユーザー９からのデータ入力を受け付ける入力ユニット５０とを含む。レシートプリンタ３０は、前壁または前面に一体になるように組み込まれたディスプレイであってタッチパネル機能を備えたディスプレイ（以降ではタッチパネル）３１を含む。
【００２０】
ＰＯＳ端末１１は、ユーザー９が購入したサービスおよび／または商品の情報を店員１９が入力するインタフェイスを含む。ＰＯＳ端末１１は、店舗あるいは店外のＰＯＳシステムとＬＡＮおよび／またはインターネットで接続され、ユーザー９が支払う（決済する）ための情報を生成する。ＰＯＳ端末１１は、店員１９が入力するとともに、あるいは入力する代わりに、ユーザー９が棚から商品を取るとその商品についての支払い情報が入力されたり、商品がＰＯＳレジスタ１０を通過すると自動的にそれらの商品についての支払い情報が入力されたりする装置であってもよい。また、ＰＯＳ端末１１は、店舗用のスタンドアロンの支払い用の装置、たとえばレジスタであってもよい。
【００２１】
レシートプリンタ３０は、ＰＯＳ端末１１から、支払い情報を含むレシート情報４１を取得し、そのレシート情報４１がシートに印刷されたレシート４０を出力する（プリントアウトする）機能を含む。プリンタ３０の前面のタッチパネル３１にはレシート４０の要否を選択するボタン型のシンボル（アイコン、図形、絵）６１が表示される。それとともに、タッチパネル３１には、レシート情報４１を送信する送信先アドレスを入力できる旨のメッセージ６３が表示される。ユーザー９は、レシート４０の要否を選択する前に、サーバー５の記録領域５ａを示すアドレス、たとえばＵＲＬを、入力ユニット５０を介して入力できる。ユーザー９が入力する所望のサーバー５の記録領域５ａのＵＲＬ（送信先アドレス）は、ユーザー９がレシート情報４１を送信、格納または蓄積したいインターネット上のアドレスである。レシートプリンタ３０はレシート情報４１を、インターネット２を介して所望のアドレスに送信する出力ユニットとしての機能を備えている。
【００２２】
入力ユニット５０は、通信ユニット５１と、光学ユニット５２とを含む。通信ユニット５１は、無線通信を介してデータを取得できるものである。通信ユニット５１は、たとえば、ＩＣカード、あるいは携帯端末（携帯電話、ＰＤＡ）８に組み込まれているＩＣカード機能と通信して所望のデータ、この例ではレシート情報４１の送信先アドレス４５を取得する。光学ユニット５２は、スキャナ、カメラなどの画像を介してデータを取得できるものである。光学ユニット５２は、携帯端末８の画面に出力された画像、たとえば、２次元コードを読み取り、レシート情報４１の送信先アドレス４５を取得する。
【００２３】
ユーザー９は、送信先のアドレス４５が通信ユニット５１または光学ユニット５２で読み取れるように設定された携帯端末８を持つ。ユーザー９は、携帯端末８を入力ユニット５０に近づけることにより送信先アドレス４５を入力できる。携帯端末８から送信先アドレス４５を送信したり、入力ユニット５０により送信先アドレス４５を読み取らせるように携帯端末８に表示させたりする入力システムあるいは入力プログラムは、適当な手段によりユーザー９に提供される。典型的には、入力システムまたは入力プログラムは、ユーザー９のパーソナルコンピュータ７あるいは携帯端末８で使用する家計簿ソフトとともに家計簿ソフトの提供元あるいは運営元から提供される。また、送信先アドレス４５は、家計簿ソフトの提供元あるいは運営元が手配したサーバー５のアドレスであってもよく、ユーザー９が管理しているサーバー５のアドレスであってもよい。
【００２４】
ユーザー９がレシートプリンタ３０の前面のタッチパネル３１に表示されたアイコン６１にタッチしてレシート４０の出力を選択すると、レシートプリンタ３０はレシート４０を印刷する。それとともに、レシートプリンタ３０は、送信先アドレス４５が入力されていれば、その送信先アドレス４５に宛ててレシート情報４１を送信する。レシートプリンタ３０は直（有線または無線を含め）にインターネット２などのコンピュータネットワークに接続されていてもよく、ＰＯＳ端末１１を介してコンピュータネットワークに接続されていてもよい。送信先アドレス４５が入力されていなければレシート情報４１は送信されない。また、タッチパネル３１によりレシート４０が不要と選択されれば、レシート４０は印刷されない。なお、ユーザー９がレシート４０の印刷を不要と選択しても、送信先アドレス４５が入力されていれば、レシート情報４１は送信先アドレス４５に送信される。
【００２５】
ＰＯＳレジスタ２０は商品またはサービスの自動販売機（自販機）であり、ここではセルフのガソリンスタンドに設置される、いわゆるガスＰＯＳを例として示している。ガスＰＯＳ２０は、ユーザー９が所望のタイプのガソリンを選択して車に注入するための商品選択部２５と、支払い（決済）を行うレジスタ部２１とを含む。レジスタ部２１は、商品選択部２５から取得したレシート情報を印刷するレシートプリンタ３０で構成されている。このレシートプリンタ３０は、内蔵されたプリンタ機構と、タッチパネル３１と、カード決済のためのカード挿入口３９と、送信先アドレス４５を取得するための入力ユニット５０とを含む。
【００２６】
このＰＯＳレジスタ２０では、商品選択部２５において商品を選択する前に、レジスタ部２１を構成するレシートプリンタ３０のタッチパネル３１に、決済用のカードを挿入口３９に挿入（装着）するように指示（表示）される。カード情報が承認されると、商品選択部２５の操作が可能となり、ユーザー９は所望のガソリンノズル２５ａを選んで車に給油する。給油が終了すると、レジスタ部２１を構成するレシートプリンタ３０のタッチパネル３１にレシート４０の要否を選択するアイコン、たとえばボタン６１が表示される。それとともに、タッチパネル３１にレシート情報４１を送信する送信先アドレスを入力できる旨のメッセージ６３が表示される。ユーザー９は、レシート情報４１を所望のサーバー５の記録領域５ａに送信したい場合は、レシート４０の要否を選択する前に、入力ユニット５０を用いてサーバー５の記録領域５ａを示す送信先アドレス４５を入力する。
【００２７】
その後の処理は、ＰＯＳレジスタ２０においても、ＰＯＳレジスタ１０と同様である。ユーザー９がレシートプリンタ３０のタッチパネル３１に表示されたボタン６１によりレシート４０の出力を選択すると、レシートプリンタ３０はレシート４０を印刷する。それとともに、送信先アドレス４５が入力されていれば、レシートプリンタ３０は、その送信先アドレス４５に宛ててレシート情報４１をインターネット２などのコンピュータネットワークを介して送信する。送信先アドレス４５が入力されていなければレシート情報４１は送信されず、タッチパネル３１によりレシート４０が不要と選択されれば、レシート４０は印刷されない。
【００２８】
図２に、レシートプリンタ３０の一例の概略構成をブロック図により示している。レシートプリンタ３０は、多種のプロトコルによるデータの入出力を行うインタフェイス群３５と、レシートプリンタ３０の制御ユニットとなるＣＰＵ（プロセッサ）３６と、プログラムおよびデータを格納したメモリ３７と、レシートを印刷するプリント機構３８とを含む。プリント機構３８の典型的なものはロールタイプの感熱紙に情報を印刷するサーマルプリンタである。プリント機構３８はインクジェットタイプなどの他のタイプのプリンタであってもよい。
【００２９】
インタフェイス群３５にはレシートプリンタ３０に内蔵および／または外付けされた各種の入出力ユニットが接続される。入出力ユニットの一例は、ディスプレイ機能を備えたタッチパネル３１、決済用のカードインタフェイス（挿入口）３９、人感センサー３３、通信ユニット５１および光学ユニット５２を備えた入力ユニット５０などである。これらの入出力ユニットはレシートプリンタ３０に内蔵されていてもよく、外付けされていてもよい。
【００３０】
インタフェイス群３５には、さらに、ＰＯＳ端末１１および／または商品選択部２５が、適当な通信手段、たとえば、ＵＳＢ、コンピュータネットワークなどにより接続される。したがって、レシートプリンタ３０はＰＯＳ端末１１および／または商品選択部２５からレシート情報４１を取得できる。また、インタフェイス群３５にはインターネット２および／またはイントラネットを接続することができ、レシート情報４１を送信先アドレス４５に送信できる。このため、インタフェイス群３５がレシートプリンタ３０の内部において出力ユニットとして機能する。レシートプリンタ３０が直にインターネット２に接続されていない場合は、インタフェイス群３５に接続されたＰＯＳ端末１１および／または商品選択部２５を介してレシート情報４１を送信先アドレス４５に送信できる。
【００３１】
制御ユニットとなるＣＰＵ３６は、メモリ３７に格納されたプログラムをロードすることにより幾つかの機能を実現する。まず、ＣＰＵ３６は、タッチパネル３１を制御する幾つかの機能３６ａ〜３６ｃを実現する。アイコン表示機能（機能ユニット）３６ａは、レシート情報４１を取得すると、レシート情報４１の印刷の可否を選択するボタン６１をタッチパネル３１に表示する。メッセージ表示機能（第１の機能ユニット）３６ｂは、ボタン６１とともにタッチパネル３１に送信先アドレス４５の入力を促すメッセージ６３を表示する。広告表示機能（第２の機能ユニット）３６ｃは、ボタン６１とともにタッチパネル３１に広告および／または宣伝を含む情報（メッセージおよび／または画像（静止画および動画を含む））６５を表示する。
【００３２】
図３にタッチパネル３１の表示の一例を示している。アイコン表示機能３６ａは、レシート要のボタン６１ａと、レシート不要のボタン６１ｂとを表示する。ユーザー９が一方にタッチすることによりレシートのプリントアウトの要否が選択される。
【００３３】
メッセージ表示機能３６ｂは、タッチパネル３１に、ボタン６１ａおよび６１ｂと同時に「レシートの送信先のアドレスが入力できます」というメッセージ６３を表示する。ユーザー９は、レシートの出力の要否を選択するためにタッチパネル３１を見たときに、レシート（レシート情報）４１の送信先アドレス４５を入力できることを認識する。したがって、レシート情報４１をサーバー５に送信したいユーザー９は忘れずに送信先アドレス４５を入力ユニット５０に入力できる。メッセージ６３はこれに限らず、たとえば、ボタン６１ａまたは６１ｂを選択する前に送信先アドレス４５を入力するように指示したり、入力ユニット５０にＬＥＤなどの表示ユニットを設けて点滅させたり、入力ユニット５０に対する送信先アドレス４５の入力方法を解説したりするなど、様々なものであってもよい。
【００３４】
広告表示機能３６ｃは、タッチパネル３１に、ボタン６１ａおよび６１ｂと同時に宣伝広告用のメッセージ６５を表示する。宣伝広告用のメッセージ６５は、本日の目玉商品、本日あるいは明日以降のイベント情報、ユーザーが買った商品と関連性のある広告、たとえば同じまたは同種の商品の他会社の宣伝広告などである。ユーザー９がボタン６１ａまたは６１ｂを操作するためにタッチパネル３１を見るので、宣伝広告用のメッセージ６５を効率よくユーザー９に届けることができる。
【００３５】
レシートプリンタ３０のＣＰＵ３６により実現される機能は、図２に示しているように、さらに、レシート情報４１を送信先アドレス４５に送信する機能（機能ユニット）３６ｄを含む。この送信機能３６ｄは、レシート情報４１の印刷の可否（要否）を選択するボタン６１ａまたは６１ｂが操作されたときに送信先アドレス４５が取得できていれば、レシート情報４１を送信先アドレス４５に送信する。このレシートプリンタ３０においては、送信先アドレス４５をユーザー９が自己の携帯端末８から通信または画像により入力できる。したがって、ユーザー９の送信先アドレス４５が、カード会社や、その他の決済システムに予め設定されていなくても、レシート情報４１をユーザー９が希望する送信先アドレス４５に送信し、その送信先アドレス４５にレシート情報４１を集めることができる。また、支払い方法が現金、クレジットカードあるいはＩＣカードなどのいずれであっても、さらに、ＰＯＳレジスタ、チェックカウンターなどの支払いシステムのタイプによらず、レシート情報４１を所定の送信先アドレス４５に集積させることができる。
【００３６】
さらに、クレジット会社の決済を経なくてもレシート情報４１を所定の送信先アドレス４５に集め、ネットワーク２を介してユーザー端末７あるいは携帯端末８で見ることができる。したがって、ほぼリアルタイムでレシート情報４１を集計でき、家計簿ソフトなどに反映させることができる。
【００３７】
また、レシートプリンタ３０のＣＰＵ３６により実現される機能は、レシート４０を印刷する機能（機能ユニット）３６ｅを含む。この印刷機能３６ｅは、レシート情報４１の印刷の可否を選択するボタン６１ａまたは６１ｂの操作によりレシート４０の印刷を制御する。レシート不要のボタン６１ｂが選択されると、レシート４０は出力されない。このため、レシート４０が不要なユーザー９に対して資源の浪費を抑制できる。
【００３８】
さらに、レシートプリンタ３０のＣＰＵ３６により実現される機能は、レシート情報４１を破棄する機能（機能ユニット）３６ｆを含む。この破棄機能３６ｆは、レシート情報４１の印刷の要否を選択するボタン６１ａまたは６１ｂが操作されずに所定の時間が経過し、さらに人感センサー３３がタッチパネル３１の前に人を感知しないと自動的にレシート情報４１を破棄する。所定の時間が経過したことにより、または、人感センサー３３が人を感知しないことにより、レシート情報４１を破棄してもよい。ユーザー９がボタン６１ａおよび６１ｂを操作せずに立ち去ると、レシート４０は出力されず、自動的にレシート情報４１は破棄される。また、ＰＯＳ端末１１からの操作や次のユーザー９のレシート情報４１の入力によりレシート情報４１を破棄するようにしてもよい。
【００３９】
図４に、ＰＯＳレジスタ１０における処理の概要をフローチャートにより示している。ステップ７１において、ＰＯＳ端末１１で支払い情報を集計し、レシート情報４１を生成する。ステップ７２において、レシートプリンタ３０はレシート情報４１を取得する。レシートプリンタ３０がレシート情報４１を取得すると、ステップ７３において、表示機能３６ａ〜３６ｃがタッチパネル３１にレシート要否のボタン６１ａおよび６１ｂ、送信先アドレス４５の入力を促すメッセージ６３、および広告宣伝用のメッセージ６５を表示する。ステップ７４においてボタンが操作され、ステップ７５においてレシート要のボタン６１ａが選択されると、ステップ７６において印刷機能３６ｅがレシート４０を印刷する。ステップ７５においてレシート不要のボタン６１ｂが選択されると、印刷機能３６ｅはレシート４０を印刷しない。
【００４０】
ステップ７７において送信先アドレス４５が入力されていると、ステップ７８において送信機能３６ｄが送信先アドレス４５にレシート情報４１を送信する。送信が終了すると、ステップ７９において破棄機能３６ｆがレシート情報４１を破棄する。また、レシート要否のボタン６１ａおよび６１ｂが操作されず、ステップ８１で所定の時間が経過すると、ステップ８２で人感センサー３３によりタッチパネル３１の前のユーザー９の存在（不在）を確認した後、ステップ７９でレシート情報４１を破棄する。
【００４１】
ステップ７３に続いて、送信先アドレス４５が入力されると、図３に示した表示パネル兼タッチパネル３１のメッセージ６３に加えて、またはメッセージ６３に変えて、送信先アドレス４５が入力されたことを示すメッセージを表示してもよい。送信先アドレス４５が入力されたことを示すメッセージの例は、「送信先アドレスを受信しました」というような受信確認メッセージ、または入力された送信先アドレス４５を表示することである。送信先アドレス４５を記憶した携帯端末８またはＩＣカードなどに、送信先アドレス４５の代わりに表示される内容、たとえばハンドルネームなどをセットしておき、送信先アドレス４５の代わりに表示させることも可能である。この段階でレシート情報４１を送信することも可能であるが、ステップ７５のボタン（アイコン）６１を選択させることを、入力された送信先アドレス４５を確認するステップとして利用している。
【００４２】
主な処理の流れはＰＯＳレジスタ２０においても同様である。このように、ＰＯＳレジスタ１０および２０においては、タッチパネル３１にボタン６１ａおよび６１ｂを表示し、レシートプリンタ３０によりレシート情報（レシート）４１を印刷するか否かの決定をユーザー９に選択させるタイミングを設け、無駄にレシート４０が出力されないようにしている。それとともに、ＰＯＳレジスタ１０および２０は、ユーザー９がレシート４０の要否を選択するタイミングを、ユーザー９がレシート情報４１の送信先アドレス４５を入力できるタイミングとして利用している。したがって、支払い方法や支払いシステムのタイプに依存せず、ユーザー９は所望の送信先アドレス４５を入力できる。このため、ユーザー９は所定の送信先アドレス４５にレシート情報４１をアップロードさせて、サーバー５の所定のエリア（記録領域）５ａに集中させたレシート情報４１により、自己の支払い状況を迅速に管理できる。
【００４３】
なお、上記ではタッチパネル３１を内蔵したレシートプリンタ３０を例示しているが、タッチパネル３１は別置きであってもよい。また、レシートプリンタ３０およびタッチパネル３１は、ＰＯＳ端末１１に組み込まれていてもよい。さらに、自動販売機用のＰＯＳシステム（レジスタ）２０としてガスＰＯＳを示しているが、自販する商品はガソリンに限定されず、飲食物、雑誌などであってもよい。また、レシート情報４１は、ユーザー９の支払いに関する情報の他に店舗などがユーザー９に伝達したい情報、たとえば、ポイント情報、広告宣伝情報を含んでいてもよい。ポイント情報なども含めたレシート情報４１を所定の送信先アドレス４５に送信することにより、支払いに関する情報に限らず、ポイントに関する情報も集中管理できる。
【図１】
2012053217.tif 000003
【図２】
2012053217.tif 000004
【図３】
2012053217.tif 000005
【図４】
2012053217.tif 000006
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
顧客がサービスおよび商品の少なくともいずれかに対する支払いを行うシステムであって、
顧客の支払い内容を含むレシート情報を用紙に印刷するプリンタと、
前記レシート情報の印刷の要否を顧客にその都度選択させる第１のアイコンが表示されるタッチパネルと、
前記レシート情報を、コンピュータネットワークを介して送信する送信先アドレスを顧客にその都度入力させる入力ユニットと、
前記第１のアイコンにより前記レシート情報の印刷の要否が顧客により選択されたときに前記送信先アドレスが入力されていれば前記送信先アドレス宛に前記レシート情報を送信し、前記送信先アドレスが入力されていなければ前記レシート情報を送信しない出力ユニットとを有するシステム。
【請求項２】
請求項１において、前記タッチパネルに前記第１のアイコンとともに顧客に前記送信先アドレスの入力を促すメッセージを表示する第１の機能ユニットをさらに有する、システム。
【請求項３】
請求項２において、前記タッチパネルに前記第１のアイコンとともに広告および宣伝の少なくともいずれかを含む情報を表示する第２の機能ユニットをさらに有する、システム。
【請求項４】
請求項１ないし３のいずれかにおいて、前記入力ユニットは、顧客の携帯端末またはＩＣカードとの非接触通信により顧客の送信先アドレスを取得する通信ユニット、および顧客の携帯端末に表示された顧客の送信先アドレスを含むデータを読み取る光学ユニットの少なくともいずれかを含む、システム。
【請求項５】
請求項１ないし４のいずれかにおいて、前記プリンタが前記出力ユニットを含む、システム。
【請求項６】
顧客がサービスおよび商品の少なくともいずれかに対する支払いを行うシステムの制御方法であって、
前記システムは、顧客の支払い内容を含むレシート情報を用紙に印刷するプリンタと、
タッチパネルと、
前記タッチパネルの入出力を制御する制御ユニットと、
前記レシート情報を、コンピュータネットワークを介して送信する送信先アドレスを顧客が入力する入力ユニットと、
前記送信先アドレス宛に前記レシート情報を送信する出力ユニットとを含み、
当該制御方法は、
前記制御ユニットが、前記タッチパネルに前記レシート情報の印刷の要否を顧客にその都度選択させる第１のアイコンを表示することと、
前記タッチパネルに前記第１のアイコンとともに前記送信先アドレスの入力を促すメッセージを表示し、顧客に前記送信先アドレスをその都度入力させることと、
前記第１のアイコンにより前記レシート情報の印刷の要否が顧客により選択されたときに前記送信先アドレスが入力されていれば前記送信先アドレス宛に前記レシート情報を送信し、前記送信先アドレスが入力されていなければ前記レシート情報を送信しないこととを有する、制御方法。
【請求項７】
（削除）
【請求項８】
請求項６において、前記表示することは、前記制御ユニットが前記タッチパネルに前記第１のアイコンとともに広告および宣伝の少なくともいずれかを含む情報を表示することを含む、制御方法。
【請求項９】
請求項６または８において、さらに、前記第１のアイコンにより前記レシート情報の印刷要が選択されたときにのみ前記プリンタにより前記レシート情報を印刷することを有する、制御方法。
【請求項１０】
請求項６、８および９のいずれかにおいて、前記入力ユニットは、顧客の携帯端末またはＩＣカードと非接触通信する通信ユニット、およびデータを光学的に読み取る光学ユニットの少なくともいずれかを含み、
顧客の携帯端末またはＩＣカードと前記通信ユニットとの非接触通信、または、顧客の携帯端末に表示されたデータを前記光学ユニットにより読み取ることにより、顧客の送信先アドレスを取得することをさらに有する、制御方法。
【請求項１１】
請求項４において、前記入力ユニットにより顧客の送信先アドレスを取得すると、送信先アドレスを取得したことを送信先アドレスに代わる表示で表示する機能ユニットをさらに有する、システム。
【請求項１２】
請求項１ないし５、および１１のいずれかにおいて、前記第１のアイコンにより前記レシート情報の印刷の要否が選択されずに、所定の時間が経過するか、または、人感センサーにより前記タッチパネル前に人を感知しないときに、前記レシート情報を破棄する機能ユニットをさらに有する、システム。
【請求項１３】
請求項１０において、前記入力ユニットにより顧客の送信先アドレスを取得すると、送信先アドレスを取得したことを送信先アドレスに代わる表示で表示することをさらに有する、制御方法。
【請求項１４】
請求項６、８ないし１０、および１３のいずれかにおいて、前記第１のアイコンにより前記レシート情報の印刷の要否が選択されずに、所定の時間が経過するか、または、人感センサーにより前記タッチパネル前に人を感知しないときに、前記レシート情報を破棄することをさらに有する、制御方法。
【国際調査報告】
2012053217.tif 000007
2012053217.tif 000008
2012053217.tif 000009
2012053217.tif 000010